Podtech/llm-jp-corpus-v4-ja_patent huggingface dataset:
(57)【要約】      （修正有）【課題】乗り物車内で洋服や床が濡れるのを防止できる雨傘用雫除けカバー内蔵リングを提供する【解決手段】雨傘の柄２にリング１を取付けて、リングに内蔵されているビニール袋６を引き出して雨傘をカバーし、ビニール袋の先端にある開閉式チャック８を使用して、雨雫による洋服や床が濡れるのを防止する。【選択図】図６
0003196319.tif 000002
【実用新案登録請求の範囲】
【請求項１】
リング本体にビニール袋を内蔵させた雨傘用雫除けカバー内蔵リング
【請求項２】
（１）の内蔵ビニール袋を引き出した先端部に雨水垂れ防止用に開閉式チャックを設けた雨傘用雫除けカバー内蔵リング。
【請求項３】
（１）（２）のリング本体と雨傘の柄を固定させるためのすべり止めゴムは弾力性があり、柄の直径（標準サイズは2センチメートル）±０．５センチメートルのサイズに適応させることができる雨傘用雫除けカバー内蔵リング。
【考案の詳細な説明】
【技術分野】
【０００１】
本考案は、雨傘を閉じた時、乗り物の中で洋服や床が雨の雫で濡れるのを防止する雨傘用雫除けカバー内蔵リングに関するものである。
【背景技術】
【０００２】
従来、デパートや公共施設では、雨の日に雨雫により洋服や床が濡れるのを防ぐため、ビニールの傘袋が提供されているが、電車やバスに乗車する時にはそのようなサービスがなく、洋服や床が濡れて不快な思いをしている。
【先行技術文献】
【特許文献】
【０００３】
【特許文献１】特開平８−２１４９２４号公報
【特許文献２】特開２００７−１０５４１３
【考案の概要】
【考案が解決しようとする課題】
【０００４】
雨の日、雨雫防止用にデパートや公共施設では、ビニール袋が用意されているが、電車やバスなどの乗り物ではそのようなサービスがないため、雨雫で服や床が濡れて不快、且つ危険である。先行技術文献では、傘本体に解決手段を施したものが多く、現在使用している傘で、解決する事ができない。又、傘カバーの先行技術文献では嵩張るものが多く、雨の日に傘以外の携帯品が増えるのは実用性に欠けると考えた。本考案は以上の課題を解決するためになされたものである。
【課題を解決するための手段】
【０００５】
雨傘の柄にリングを取付て、リングに内蔵されているビニール袋を引き出して雨傘をカバーし、ビニール袋の先端にある開閉式チャックをして使用する。以上の構造により雨雫による洋服や床が濡れるのを防止する雨傘用雫除けカバー内蔵リングである。
【考案の効果】
【０００６】
雨傘の柄の部分に常時取付できるようコンパクトでお洒落な設計になっており、ビニール袋の提供がない場所で使用でき、ビニール袋を引き出し素早く濡れた傘をカバーするため洋服が濡れない。又、先端に施した開閉式チャックにより雨雫をビニール袋内に溜めることができるため床を濡らさずに済む。溜まった雨水は、開閉式チャックを開くことで外に捨てることもできる。ビニール袋は数回分内蔵されており、使い捨てタイプで毎回新しく衛生的である。
【図面の簡単な説明】
【０００７】
【図１】リング本体真上図
【図２】内蔵ビニール袋真上図
【図３】内蔵ビニール袋断面図
【図４】内蔵ビニール袋構造図
【図５】リング本体断面図
【図６】雨傘用雫除けカバー内蔵リング使用時図
【考案を実施するための形態】
【０００８】
以下、本考案の実施の形態を説明する。
（イ）  リング本体（１）は雨傘の柄（２）取り付けて使用するためドーナツ型になっており、雨傘の柄（２）に接する部分には弾力性のあるすべり止めゴム（４）が施されている。
（ロ）  リング本体（１）には雨雫除けカバー用のビニール袋がアコーディオン折りで内蔵されている。
（ハ）  リング本体（１）下部には内蔵ビニール袋（６）が引き出せるようにビニール袋取出し口（５）を設けている。
（ニ）  内蔵ビニール袋（６）は傘石突（７）まで引き出すことができる長さになっており、下部には開閉式チャック（８）が取り付けられている。
本考案は以上のような構造である。
本考案を使用する時は、リング本体（１）を雨傘の柄（２）の先端より差し込み、雨傘の柄（２）と傘軸（３）の接続部から雨傘の（２）の部分へ2センチメートルから3センチメートルのところにリング本体（１）内側に施したすべり止め用ゴム（４）により固定させる。すべり止めゴム（４）は弾力性があり、雨傘の柄（２）の直径（標準サイズは２センチメートル）の±0.5センチメートルのサイズの柄に適応できるようになっている。
リング本体（１）下部のビニール袋取出し口（５）より内蔵ビニール袋（６）を引き出し、傘石突（７）まで被せ開閉式チャック（８）を閉じ、雨水をビニール袋内に溜める。
ビニール袋を捨てる時は、切り離し点線（９）で切り離せるようになっている。その時、ビニール袋（１１）がリング本体（１）に逆戻りしないようビニール袋取出し口（５）の幅は開閉式チャック（８）の厚みと同幅になっている。又、次に使用するビニール袋（６）を引き出しやすくするため、ビニール袋取出し口（５）に沿うようビニール袋取出し用ひきしろ（１０）が残るようにしている。
【符号の説明】
【０００９】
１  リング本体  
２  雨傘の柄  
３  傘軸  
４  すべり止めゴム  
５  ビニール袋取出し口
６  内蔵ビニール袋
７  傘石突
８  開閉式チャック
９  切り離し点線
１０  ビニール袋取出し用ひきしろ
１１  ビニール袋（引出し済み）
【図１】
0003196319.tif 000003
【図２】
0003196319.tif 000004
【図３】
0003196319.tif 000005
【図４】
0003196319.tif 000006
【図５】
0003196319.tif 000007
【図６】
0003196319.tif 000008
【手続補正書】
【提出日】平成26年12月22日(2014.12.22)
【手続補正１】
【補正対象書類名】実用新案登録請求の範囲
【補正対象項目名】請求項１
【補正方法】変更
【補正の内容】
【請求項１】
リング本体にビニール袋を内蔵させた雨傘用雫除けカバー内蔵リング
【手続補正２】
【補正対象書類名】実用新案登録請求の範囲
【補正対象項目名】請求項２
【補正方法】変更
【補正の内容】
【請求項２】
リング本体の内蔵ビニール袋を引き出した先端部に雨水垂れ防止用に開閉式チャックを設けたことを特徴とする請求項１に記載の雨傘用雫除けカバー内蔵リング。
【手続補正３】
【補正対象書類名】実用新案登録請求の範囲
【補正対象項目名】請求項３
【補正方法】変更
【補正の内容】
【請求項３】
リング本体の雨傘の柄と接する部分には、雨傘の柄を固定させるためのすべり止めゴムを備え、前記すべり止めゴムは弾力性があり、柄の直径±０．５センチメートルのサイズに適応させることができることを特徴とする請求項１又は請求項２に記載の雨傘用雫除けカバー内蔵リング。
(57)【要約】      （修正有）【課題】マスクを付けて呼吸するとき、外気が必ずマスクを通過するようなパイプマスク及びパイプ式鼻マスクを提供する。【解決手段】軟質の樹脂またはゴム製のパイプと一体化した台座１を袋状のフィルター２で包んだパイプマスクを既存のマスク５に取り付けて使用することを特徴とする。また、上記のパイプと一体化した台座１を不織布またはガーゼで包み、耳掛け用のゴム紐をつけた鼻専用のパイプ式鼻マスク。【選択図】図２
0003196313.tif 000002
【実用新案登録請求の範囲】
【請求項１】
軟質の樹脂またはゴム製で、テーパー状のパイプと一体化した台座（１）を袋状のフィルター（２）で隙間の無いように包み、既存のマスクに取り付けて使用するパイプマスク。
【請求項２】
軟質の樹脂またはゴム製のパイプと一体化した台座（１）を不織布またはガーゼ（６）で隙間の無いように包み、耳掛け用のゴム紐（８）を取り付けたパイプ式鼻マスク。
【考案の詳細な説明】
【技術分野】
【０００１】このパイプマスクは、既存のマスク（立体型マスク）に取り付けて使用する（第１考案、図１、図２）。
また、パイプマスクのフイルターの大きさ、形を変え紐をつけることによりパイプ式鼻マスクとして使用できる（第２考案、図３、図４）。
【背景技術】
【０００２】既存のマスクは、マスクと口及び鼻との間に隙間ができるので、体内に、花粉や粉じん等が混じった外気が入りやすかった。
【実用新案の概要】
【実用新案が解決しようとする課題】
【０００３】従来のマスクは口、鼻との間に隙間ができやすく外気が直接、体内に入りやすい欠点があった。そこで、この考案は、上記のような欠点を限りなく減少するためになされたものである。
【課題を解決するための手段】
【０００４】第一考案は、軟質の樹脂またはゴム製でテーパー状のパイプと台座を一体化したものに袋状のフイルターを取り付けたことを特徴とするパイプマスクである。
また、第二考案は、第一考案のフイルターの大きさ、形を変え、フイルターに耳掛け用のゴム紐を取り付けることを特徴とし、会話のしやすいパイプ式鼻マスクである。
【考案の効果】
【０００５】第一考案、または第二考案によれば、鼻呼吸するとき、外気が直接体内に入ることが無くなる。通常、かぜ等で鼻づまり以外の人は鼻で呼吸するものです。
【図面の簡単な説明】
【０００６】
【図１】、
【図２】この考案の一実施形態を示す詳細図及び取り付け時の側面図である。
【図３】、
【図４】この考案の一実施形態を示す詳細図及び取り付け時の側面図である。
【考案を実施するための形態】
【０００７】この考案の一実施形態を、図１〜図４に示す。
［図１］軟質の樹脂またはゴム製のパイプと一体化した台座（１）と袋状のフイルター（２）を接着（３）したパイプマスク。
［図２］図１のパイプマスクのフイルター上部（４）と既存のマスクおよび立体型マスク（５）を両面テープまたはマジックテープ（４）で固定した使用状況。
［図３］図１のパイプマスクと袋状の密閉した不織布またはガーゼ（６）を接着（７）し、耳掛け用のゴム紐（８）を取り付けたパイプ式鼻マスク。
［図４］パイプ式鼻マスクの使用状況。
【符号の説明】
【０００８】１．パイプ付き台座
２．フイルター（不織布またはガーゼ）
３．１と２の接着部
４．両面テープまたはマジックテープ
５．市販されているマスクまたは立体マスク
６．不織布またはガーゼ
７．１と６の接着部
８．ゴム紐
【図１】
0003196313.tif 000003
【図２】
0003196313.tif 000004
【図３】
0003196313.tif 000005
【図４】
0003196313.tif 000006
(57)【要約】      （修正有）【課題】小鳥の鳴き声に近く、意匠性及び香りに優れたバードコールを提供する。【解決手段】めねじ部２１を有する木部２０と、おねじ部１２を有する金属部１０とを備え、木部は香り成分を含有し、金属部のおねじ部を木部のめねじ部に回動可能に装着した状態で、金属部と木部とを相対的に回すとネジ部の摩擦により鳥の鳴き声に模した音がでるものであり、金属部は本体部１１とおねじ部からなり、少なくとも本体部が小鳥やその他の動物、あるいは子供等の各種像形状に製作でき、意匠性に優れる銅合金からなる。【選択図】図１
0003196112.tif 000002
【実用新案登録請求の範囲】
【請求項１】
めねじ部を有する木部と、おねじ部を有する金属部とを備え、
前記木部は香り成分を含有し、
前記金属部のおねじ部を木部のめねじ部に回動可能に装着した状態で、金属部と木部とを相対的に回すと鳥の鳴き声に模した音がでるものであり、前記金属部は本体部とおねじ部からなり、少なくとも本体部が銅合金からなることを特徴とするバードコール。
【請求項２】
前記木部は香り成分を含有させるための、窪み又は孔等の香料添加手段を有することを特徴とする請求項１記載のバードコール。
【請求項３】
前記金属部は香りの発生手段を有することを特徴とする請求項１記載のバードコール。
【請求項４】
前記木部は自立可能であり、
前記本体部は青銅又は黄銅からなる鋳物であることを特徴とする請求項１〜３のいずれか記載のバードコール。
【考案の詳細な説明】
【技術分野】
【０００１】
本考案は、鳥の鳴き声に模した音がでるバードコールに関する。
【背景技術】
【０００２】
鳥の鳴き声を模した小鳥玩具は古くから存在するが、意匠性等に劣り、また小鳥の鳴き声としてはあまり近いものではなかった。
【先行技術文献】
【特許文献】
【０００３】
【特許文献１】実用新案出願公告第９６６７号公報
【特許文献２】実用新案出願公告第１１７９５号公報
【特許文献３】登録実用新案第１８３１０号公報
【考案の開示】
【考案が解決しようとする課題】
【０００４】
本考案は、小鳥の鳴き声に近く、意匠性及び香りに優れたバードコールの提供を目的とする。
【課題を解決するための手段】
【０００５】
本考案に係るバードコールは、めねじ部を有する木部と、おねじ部を有する金属部とを備え、前記木部は香り成分を含有し、前記金属部のおねじ部を木部のめねじ部に回動可能に装着した状態で、金属部と木部とを相対的に回すと鳥の鳴き声に模した音がでるものであり、前記金属部は本体部とおねじ部からなり、少なくとも本体部が銅合金からなることを特徴とする。
木部は、香り成分の有する木材を使用してもよく、木部に香り成分を含浸させてもよい。
また、木部は香り成分を含有させるための、窪み又は孔等の香料添加手段を有するようにしてもよい。
例えば木部の上面に窪みを設けたり、ドリル等で上下方向に深い孔を形成してもよい。
このようにすると、添加する香料により音が変化し、目の不自由な人にとっても使いやすい。
また、孔の深さに香料の量が量れるようにしてもよい。
ここで、木部は自立可能であり、前記本体部は青銅又は黄銅からなる鋳物であってもよい。
本考案において、金属部の本体部とおねじ部とは必ずしも一体である必要はなく、金属製のおねじシャフトを本体部の鋳造時に鋳込み連結してもよい。
また、金属部に香料袋等を付して金属部にも香りの発生手段を形成してもよい。
【０００６】
金属部の形状は、青銅，黄銅等にて小鳥の模した像形状にすると意匠性に優れるので、置物としても使用でき、また机やテーブルの上に置いておき、心身のリラックス用に小鳥の鳴き声のように鳴らしてもよい。
また、金属部と木部とを相対的に回すと、その摩擦熱により木部に含有している香り成分が揮発し、その香りを楽しむことができる。
【０００７】
木部は、桜やクワ等の木の小枝等、天然木を用いるのが好ましい。
めねじ部は、金属部のおねじ部を回すときの摩擦により、小鳥の鳴き声に模した音がでるように、やや緩く寸法設計してある。
【考案の効果】
【０００８】
本考案にあっては、金属部を銅合金にて製作したので、小鳥やその他の動物、あるいは子供等の各種像形状に製作でき、意匠性に優れる。
また、小鳥に模した音を鳴らす際に、ねじ部の摩擦により香りが揮発しやすくなる。
【図面の簡単な説明】
【０００９】
【図１】本考案に係るバードコールの例を示す。（ａ）は金属部を木部に装着した状態を示し、（ｂ）は分離した状態を示す。（ｃ）は木部の上面に窪み部を設けた例、（ｄ）は木部の上面に孔を設けた例を示す。
【考案を実施するための最良の形態】
【００１０】
本考案に係るバードコールにおいて、金属部を小鳥の形状に像成型した例にて以下説明するが、金属部の像形状に制限はない。
【００１１】
バードコールは、金属部１０と木部２０とからなる。
木部２０は、木の小枝等の天然木を切断して製作した例となっているが、木材を用いたものであれば、形状に制限はない。
木部は、上面側にめねじ部２１を形成してあり、底面は自立できるように平面状になっている。
木部は、香料成分を含有する液体に浸漬するか、めねじ部の内側に香料剤を塗布し、香り成分を含有させるのがよい。
また、元々、香り成分の含有量の多い天然木を用いてもよい。
さらには、図１（ｃ）に示すように木部の上面に窪み部２２を形成したり、（ｄ）に示すように孔２３を形成し、この部分に香料を添加してもよい。
また、孔２３に香料の入った容器を差してもよく、香料を染み込ませた芯材を差し込んでもよい。
このようにすると、いろいろな香りを楽しむことができ、香料の量の変化により音色も変化する。
【符号の説明】
【００１２】
１０      金属部
１１      本体部
１２      おねじ部
１３      つば部
２０      木部
２１      めねじ部
２２      窪み部
２３      孔
【図１】
0003196112.tif 000003
(57)【要約】      （修正有）【課題】携帯電話、デジタルカメラ、タブレットＰＣ、テレビ、ゲーム機などのデジタル製品のスクリーンを保護し、構造簡単かつ使用便利な防爆ガラスシートを提供する。【解決手段】ガラス層２と、ガラス層２に貼り付けるための吸着保護膜４とからなり、ガラス層２と吸着保護膜４との間に粘着層３を有し、ガラス層２の粘着層３が設けられる面と反対側の面、吸着保護膜４の粘着層３が設けられる面と反対側の面にそれぞれ離型フィルム１が貼り付けられる。透明性を有するとともに高透過率を有するため、デジタル製品の使用に影響を与えない。吸着保護膜が配置するため、ユーザーは両面の離型フィルムを剥がし、吸着保護膜側の面を製品のスクリーンに貼り付けると完成して、作業が便利になる。ガラス層の表面は傷防止の役目を果たすとともに製品スクリーンのタッチパネル効果に影響を与えない。ガラス層が硬いため優れた防爆効果を有し、剥がすことも便利になる。【選択図】図１
0003196145.tif 000002
【実用新案登録請求の範囲】
【請求項１】
ガラス層（２）と、前記ガラス層（２）に貼り付けるための吸着保護膜（４）とからなり、前記ガラス層（２）と前記吸着保護膜（４）との間に粘着層（３）を有し、対向する両面にそれぞれ離型フィルム（１）が貼り付けられることを特徴とする防爆ガラスシート。
【請求項２】
前記ガラス層（２）の厚さは０．３〜２．０ｍｍであることを特徴とする請求項１に記載の防爆ガラスシート。
【請求項３】
前記粘着層（３）の厚さは２５〜２００μｍであることを特徴とする請求項１に記載の防爆ガラスシート。
【請求項４】
前記吸着保護膜（４）の厚さは０．１〜０．２ｍｍであることを特徴とする請求項１に記載の防爆ガラスシート。
【考案の詳細な説明】
【技術分野】
【０００１】
本考案は携帯電話、デジタルカメラ、タブレットＰＣ、テレビ、ゲーム機などのデジタル製品のスクリーンを保護するための防爆ガラスシートに関する。
【背景技術】
【０００２】
現在のデジタル製品はだんだん全タッチパネルの構造に発展する傾向があり、きれいでかつ使用も便利だが、傷が出やすいため外観に悪い影響を及ぼすこともよくある。タッチパネルの傷を防ぐため、その上に一層の薄い透明性薄膜を貼り付けるのは一般的である。この透明性薄膜はタッチパネルの傷を防ぐことができるが、傷を防ぐだけでなく、例えばデジタル製品を地面に落してしまえばタッチパネルが割れたり、破片が飛び散ったりする恐れがあり、こんな場合には透明性薄膜は保護としての役目を果たせないのである。
【考案の概要】
【考案が解決しようとする課題】
【０００３】
上記問題を解決するため、本考案は構造簡単かつ使用便利の防爆ガラスシートを提供する。
【課題を解決するための手段】
【０００４】
本考案はその技術問題を解決するため下記の技術方案を採用する。
【０００５】
本考案の防爆ガラスシートは、ガラス層と、前記ガラス層に貼り付けるための吸着保護膜とからなり、前記ガラス層と前記吸着保護膜との間に粘着層を有し、反対する両面にそれぞれ離型フィルムが貼り付けられる。
【０００６】
前記ガラス層の厚さは０．３〜２．０ｍｍである。
【０００７】
前記粘着層の厚さは２５〜２００μｍである。
【０００８】
前記吸着保護膜の厚さは０．１〜０．２ｍｍである。
【考案の効果】
【０００９】
本考案の効果は、
１、透明性を有するとともに高透過率を有するため、デジタル製品の使用に影響を与えない。
２、吸着保護膜が配置するため、ユーザーは両面の離型フィルムを剥がし、吸着保護膜側の面を製品のスクリーンに貼り付けると完成して、作業が便利になる。
３、ガラス層の表面は傷防止の役目を果たすとともに製品スクリーンのタッチパネル効果に影響を与えない。
４、ガラス層が硬いため優れた防爆効果を有し、剥がすことも便利になる。
【図面の簡単な説明】
【００１０】
以下は図面と実施形態を参照して本考案について詳しく説明する。
【００１１】
【図１】本考案に係る防爆ガラスシートの構造見取り図である。
【考案を実施するための形態】
【００１２】
図１に示すように、本考案の防爆ガラスシートは、ガラス層２と、前記ガラス層２に貼り付けるための吸着保護膜４とからなり、前記ガラス層２と前記吸着保護膜４との間に、前記ガラス層２と前記吸着保護膜４とを緊密で粘着させる粘着層３を有し、前記粘着層３はＯＣＡ光学接着剤或いはＵＶ接着剤である。前記ガラス層２と前記吸着保護膜４の反対する両面にそれぞれ離型フィルム１が貼り付けられ、前記離型フィルム１はＰＥＴを採用し、その上に剥がすための剥がし耳が設置され、ユーザーは本考案の製品をデジタル製品のスクリーンに貼り付けようとする場合、剥がし耳から両面の離型フィルム１を簡単に剥がせるので作業が便利になる。
【００１３】
前記ガラス層２の厚さは０．３〜２．０ｍｍである。前記粘着層３の厚さは２５〜２００μｍである。前記吸着保護膜４の厚さは０．１〜０．２ｍｍである。
【００１４】
上記のように、本考案の防爆ガラスシートは、透明性を有するとともに高透過率を有するため、デジタル製品の使用に影響を与えない。吸着保護膜が配置するため、ユーザーは両面の離型フィルムを剥がし、吸着保護膜側の面を製品のスクリーンに貼り付けると完成して、作業が便利になる。ガラス層の表面は傷防止の役目を果たすとともに製品スクリーンのタッチパネル効果に影響を与えない。ガラス層が硬いため優れた防爆効果を有し、剥がすことも便利になる。
【００１５】
本考案は前記実施形態に限られるものではなく、当業者であれば本考案の趣旨を逸脱しないことを前提として同等な修正または変更を実施することが可能であるが、それらの同等な修正または変更はいずれも本考案の請求の範囲が限定する範囲内に含まれるものとする。
【図１】
0003196145.tif 000003
【手続補正書】
【提出日】平成26年11月14日(2014.11.14)
【手続補正１】
【補正対象書類名】実用新案登録請求の範囲
【補正対象項目名】請求項１
【補正方法】変更
【補正の内容】
【請求項１】
ガラス層（２）と、前記ガラス層（２）に貼り付けるための吸着保護膜（４）とからなり、前記ガラス層（２）と前記吸着保護膜（４）との間に粘着層（３）を有し、前記ガラス層（２）の前記粘着層（３）が設けられる面と反対側の面、前記吸着保護膜（４）の前記粘着層（３）が設けられる面と反対側の面にそれぞれ離型フィルム（１）が貼り付けられることを特徴とする防爆ガラスシート。
(57)【要約】      （修正有）【課題】電磁波の影響を軽減でき、電磁波対応の機能がさまざまな物に幅広く簡単に組み入れられる拡縮型双方向巻き連結コイルを提供する。【解決手段】導電率の高い金属線を徐々に拡大しつつ巻き、中程で切り替えて縮小へ巻くコイル１，２，３，４を、右巻き、左巻き、左巻き、右巻きの順番で連結し、導電率の高い金属の線あるいは軸棒５を通している。【選択図】図１
0003196150.tif 000002
【実用新案登録請求の範囲】
【請求項１】
導電率の高い金属線を徐々に拡大しつつ巻き、中程で切り替えて縮小へ巻くコイルを、右巻き、左巻き、左巻き、右巻きの順番で連結し、導電率の高い金属の線あるいは軸棒を通した新しい形のコイル。
【請求項２】
半分が円錐形で半分が平面巻きにしてできる円錐形コイル。
【請求項３】
基本形の楕円形コイルの両側を圧縮するような形で平面に巻いてできる８層の平面形コイル。
【考案の詳細な説明】
【技術分野】
【０００１】本考案は電磁場や電磁波の人体への悪影響を軽減するために、特定の巻き方をしたコイルを特殊に組み合わせて連結し、身近なさまざまな物に利用できるようにしたものである。
【背景技術】
【０００２】エネルギーグッズとしてさまざまな形体のものが開発されてはいるが、その多くは高価であったり複雑であったりサイズの大きいものであったりと、生活の中で身近で手軽に使える電磁波対応グッズは少ないのが現状である。
【考案の概要】
【考案が解決しようとする課題】
【０００３】電磁波過敏症の症状をはじめ、パソコンや家電製品の悪影響と思われる症状に苦しむ人が多くいるが、その症状を手軽に軽減できる方法が少ない。本考案はこの課題を解決するためになされたものである。
【課題を解決するための手段】
【０００４】電磁場や電磁波の悪影響を軽減するために、特定の巻き方をしたコイルを特殊な形に組み合わせたコイルを考案した。このコイルをコアにして身近で使う文具やインテリア小物、身につけるアクセサリー全般、スポーツグッズに組み入れて、電磁波に対応した機能を簡単に利用できる。
【考案の効果】
【０００５】パソコンや家電製品の近くで、頭重や眠気、目の疲れがあったのが軽減され、呼吸も深くなった。握力が約１５％から３０％アップした。さらにバイ・ディジタルオーリングテストではプラス反応が強く出た。
【図面の簡単な説明】
【０００６】
【図１】  本考案の基本形である楕円形コイルを使った場合の構造説明図
【図２】  本考案の円錐形コイルを使った場合の構造説明図と立面図
【図３】  本考案の平面形コイルを使った場合の構造説明図と立面図
【考案を実施するための形態】
【０００７】  本考案のコイルの特徴は、らせん状に徐々に拡大して、中程で徐々に縮小へと巻いて行くコイルの右巻き２個と左巻き２個を使い、特殊な並べ方で４個連結したという形である。
図１は基本形の楕円形のコイルを表したものである。素材は導電率の高い金属（銀、銅、真ちゅう、金等）を使用する。
全体の形状としては、右巻きコイル（１）左巻きコイル（２）左巻きコイル（３）右巻きコイル（４）を、この特殊な並び順で連結したものである。
さらに中心部の芯には、導電率の高い金属の線あるいは軸棒を通している。
【０００８】  制作レベルでは、４個のコイルを連結した形を初めから制作するのも可能だが４個のコイルを別々に制作したり、右巻きコイルと左巻きコイルを連結したものを制作して、あとで常時接触する状態へ並べ組み立てる方法も可能である。
以上のように本考案は非常にシンプルな構造をしているために、図２の円錐形コイルや図３の平面形コイル等への形の加工も容易であり、サイズも細い金属線を使用することで直径５ミリ程度の球状が２個連結したのものや、厚さ３ミリ未満の円盤状の形状でも制作可能である。
【０００９】  そのため、用途の幅は広く、アクセサリー全般、携帯電話のストラップ飾り、ネームプレート等、身近な電磁波対応グッズとして組み入れることができる。
さらに、パソコンや家電製品、オーディオ、テレビ等の近くに置く電磁波対応機能をもつインテリア小物や文具の制作も可能になる。
また、スポーツ補助グッズにも組み入れることができる。例えば、ループネックレスや万歩計のストラップ、ストップウオッチ等に取り入れるなど、応用範囲は広い。
【符号の説明】
【００１０】１右巻き楕円形コイル
２左巻き楕円形コイル
３左巻き楕円形コイル
４右巻き楕円形コイル
５金属の導体軸
６拡大から縮小へ切り替えて巻く
７左巻きに切り替える
８縮小から拡大へ切り替えて巻く
９右巻きに切り替える
１０右巻き円錐形コイル
１１左巻き円錐形コイル
１２左巻き円錐形コイル
１３右巻き円錐形コイル
１４金属の導体軸
１５右巻き平面形コイル
１６左巻き平面形コイル
１７左巻き平面形コイル
１８右巻き平面形コイル
１９金属の導体軸
【図１】
0003196150.tif 000003
【図２】
0003196150.tif 000004
【図３】
0003196150.tif 000005
【手続補正書】
【提出日】平成26年10月29日(2014.10.29)
【手続補正１】
【補正対象書類名】実用新案登録請求の範囲
【補正対象項目名】請求項１
【補正方法】変更
【補正の内容】
【請求項１】
導電率の高い金属線を徐々に拡大しつつ巻き、中程で切り替えて縮小へ巻くコイルを、右巻き、左巻き、左巻き、右巻きの順番で連結し、導電率の高い金属の線あるいは軸棒を通した拡縮型双方向巻き連結コイル。
【手続補正２】
【補正対象書類名】実用新案登録請求の範囲
【補正対象項目名】請求項２
【補正方法】削除
【補正の内容】
【手続補正３】
【補正対象書類名】実用新案登録請求の範囲
【補正対象項目名】請求項３
【補正方法】削除
【補正の内容】
【手続補正書】
【提出日】平成26年12月22日(2014.12.22)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
導電率の高い金属線を徐々に拡大しつつ巻き、中程で切り替えて縮小へ巻くコイルを、右巻き、左巻き、左巻き、右巻きの順番で連結し、導電率の高い金属の線あるいは軸棒を通した拡縮型双方向巻き連結コイル。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
(57)【要約】      （修正有）【課題】腕力や握力が弱くなった方が自力で爪を切断出来る小型で軽い爪切り器を提供する。【解決手段】爪切断を目的とした左右の刃Ｂ１を有し、結合部Ｂ４でリベット結合された切断部品Ｂ２、Ｂ３と、開閉を目的とし、先端の結合部Ｃ３でリベット結合された左右の保持ハンドル部品Ｃ１、Ｃ２を、さらに結合部Ｂ５でリベット連結する。テコの原理を複合活用し刃先にかかる圧力が増幅する。また、保持ハンドルを薄鋼板で形成し、補強のためにＵ字に折り曲げて軽量化し、かつ刃先形状をニッパー形状にすることにより、腕や手にかかる負担を激減する。【選択図】図１
0003196147.tif 000002
【実用新案登録請求の範囲】
【請求項１】
左右保持ハンドル部品を開閉すると左右保持ハンドル部品の結合部が支点になり、左右保持ハンドル部品と左右切断部品の結合部が左右保持ハンドル部品側は力点となり、左右切断部品側が作用点となる、この一連の動きで、左右切断部品の結合部が支点となり刃先が増大された力点となる。
【請求項２】
左右保持ハンドルの軽量化のため、薄鋼板もしくはステンレス薄鋼板を使用し、強度補強のためＵ字に折り曲げ、左右保持ハンドルの軽量化とする
【請求項３】
指先の視認性向上のため、左右切断部品の刃先をニッパー形にし、視認性を向上とする
【考案の詳細な説明】
【技術分野】
【０００１】本考案は、加齢および障害もしくは事故等で握力が弱くなった方が自力で爪を切断出来るための爪切り器に関する
【背景技術】
【０００２】従来の爪切り器は１段階のテコ原理で刃先を増力し切断している。
【考案の概要】
【考案が解決しようとする課題】
【０００３】従来の爪切り器では、握力が弱くなったり、もしくは爪の変形で
厚くなったときに切断が困難になり介添してもらわなければ成りません。【０００４】しかしながら、介護者に爪を切断してもらうと、深爪しすぎたり、最悪は爪肉の切断事故が発生しています。【０００５】自分自身で爪を切断出来れば、自分の感覚で指先を確かめられるので快適に爪の切断が出来る【０００６】そのために、切断圧力を増やすには、保持具のハンドルを長くすれば容易に刃先にかかる圧力を増大可能だが爪切り器そのものが大きくなり重量が増え、取り扱い難い爪切り器に成る
【課題を解決するための手段】
【０００７】本考案の爪切り器は、テコの原理としての力点支点作用点を２段階にして刃先にかかる圧力を飛躍的に増大させ及び全体形状を小さくした【０００８】本考案の爪切り器の軽量化のため、保持ハンドル部品を薄鋼板を補強のためＵ字形状にし軽量化と耐変形性を強化にし、【０００９】本考案の機構に加えて刃先をニッパー形状にして視認性を引き上げ、保持しやすいハンドル形状も追加採用した倍力ニッパー爪切り器を提供すること
【考案の効果】
【００１０】同サイズの爪切り器と比較し重量の軽量化と半分以下の握力で爪の切断が可能となり弱握力者の方が取り扱いしやすい倍力ニッパー爪切り器となる。
【図面の簡単な説明】
【００１１】
【図１】切断部品と保持ハンドル部品を結合させて、刃を開いた状態の正面図
【図２】切断部品と保持ハンドル部品を結合させて、刃を開いた状態の背面図
【図３】切断部品の正面図
【図４】切断部品の右側面図
【図５】保持ハンドル部品の正面図
【図６】保持ハンドル部品の平面図
【考案を実施するための形態】
【００１２】以下、考案の実施を図１〜図６を参照して説明する。
【００１３】考案の倍力ニッパー爪切り器は、図３〜図４に示す切断部品と図５〜図６に示す保持ハンドル部品をリベット結合による倍力ニッパー爪切り器で全体像を図１図２で示す
【実施例１】
【００１４】図３〜図４に示す切断部品は、熱間鍛造法で成型された左右部品を中央結合部にリベットで結合させ、刃先のアーチを揃えニッパ−爪切り器を形成し、保持ハンドルとのリベット結合用の穴加工を施す
【実施例２】
【００１５】図５〜図６に示す保持ハンドル部品は、薄鋼板を使用して左右の保持ハンドル部品を形成し、左右の保持ハンドル部品を結合する結合穴を施してリベットで結合し、切断部品との結合用の穴加工を施す
【実施例３】
【００１６】図１〜図２に示す結合準備の整った切断部品と保持ハンドルをリベットで結合する
【産業上の利用可能性】
【００１７】本考案は倍力ニッパー爪切り器を製造する産業で利用される。
【符号の説明】
【００１８】図１を参照【００１９】Ｂ１切断部品の刃先
Ｂ２右切断部品
Ｂ３左切断部品
Ｂ４左右切断部品の結合部
Ｂ５切断部品と保持ハンドル部品の結合部
Ｃ１右保持ハンドル部品
Ｃ２左保持ハンドル部品
Ｃ３左右保持ハンドル部品の結合部
【図１】
0003196147.tif 000003
【図２】
0003196147.tif 000004
【図３】
0003196147.tif 000005
【図４】
0003196147.tif 000006
【図５】
0003196147.tif 000007
【図６】
0003196147.tif 000008
【手続補正書】
【提出日】平成26年8月4日(2014.8.4)
【手続補正１】
【補正対象書類名】実用新案登録請求の範囲
【補正対象項目名】全文
【補正方法】変更
【補正の内容】
【実用新案登録請求の範囲】
【請求項１】
爪切断を目的とした左右の刃を有する切断部品と開閉を目的とした左右の保持ハンドル部品をリベット結合して連結すると得られる構造が、第一段階目の爪切断を目的とした左右の切断部品を結合によるテコの法則で圧力軽減した切断部品。そして第二段階目の左右の保持ハンドル部品も結合によるテコの法則で圧力軽減した保持ハンドル。切断部品と保持ハンドルをリベット結合で連結すると、第一段階と第二段階のテコの法則で保持ハンドルの圧力は更に軽減して、切断部品の刃先には第一段階と第二段階で増圧された力を伝達される構造を有する倍力ニッパー爪切り器
【請求項２】
保持ハンドルの軽量化のため、鉄薄鋼板もしくはステンレス薄鋼板を使用し、強度補強のためＵ字に折り曲げ、左右保持ハンドルの軽量化と強度を有する特徴とした請求項１に記載の倍力ニッパー爪切り器。
【請求項３】
指先の視認性向上のため、切断部品の刃先をニッパー形にし、視認性を向上とする特徴とした請求項１に記載の倍力ニッパー爪切り器。
【手続補正書】
【提出日】平成26年11月23日(2014.11.23)
【手続補正１】
【補正対象書類名】実用新案登録請求の範囲
【補正対象項目名】全文
【補正方法】変更
【補正の内容】
【実用新案登録請求の範囲】
【請求項１】
爪切断を目的とした左右の刃を有するリベット結合された切断部品と開閉を目的とした左右の保持ハンドル部品をリベット結合してさらに切断部品と保持ハンドル部品を連結すると得られる二段階のテコの原理構造が増圧された力を伝達される構造を有する倍力ニッパー爪切り器
【請求項２】
保持ハンドルの軽量化のため鉄薄鋼板もしくはステンレス薄鋼板を使用して強度補強のためＵ字に折り曲げて左右保持ハンドルの軽量化と強度を有する特徴とした請求項１に記載の倍力ニッパー爪切り器
【請求項３】
指先の視認性向上のため切断部品の刃先をニッパー形にして視認性を向上とする特徴とした請求項１に記載の倍力ニッパー爪切り器。
(57)【要約】      （修正有）【課題】抱っこされるベビーの顔に衣類があたらず、抱っこする人の衣類によだれ等がつくことがなくなる、ベビー顔あて布を提供する。【解決手段】抱っこした時、ベビーの顔が抱っこした人の衣類にあたらないように、ベビー抱っこひもに装着したよだれパッドにベビー顔あて布１を取り付けるようにした。【選択図】図１
0003196148.tif 000002
【実用新案登録請求の範囲】
【請求項１】
ベビー抱っこひものよだれパッドに取り付けるベビー顔あて布
【請求項２】
ベビー抱っこひもに取り付けるベビー顔あて布
【考案の詳細な説明】
【技術分野】
【０００１】  本考案は、ベビー抱っこひも又はよだれパッドに取り付けるベビー顔あて布を使用する事に関する。
【背景技術】
【０００２】  従来は抱っこする人の衣類等が、抱っこされるベビーの顔に触れていた。
【考案の開示】
【考案が解決しようとする課題】
【０００３】  しかし、これでは、抱っこされるベビーの顔に、抱っこする人の衣類等があたったり、抱っこする人の衣類によだれ等が付いたりして不快である。
【課題を解決するための手段】
【０００４】  そこで、ベビー抱っこひも又はよだれパッドに取り付けるベビー顔あて布図１図４図５図８図９図１１を考案した。ベビー抱っこひも又はよだれパッドに取り付けるベビー顔あて布により、抱っこされるベビーの顔に、抱っこする人の衣類等があたったり、抱っこする人の衣類によだれ等が付いたりするのを防ぐ事ができるのである。
【考案の効果】
【０００５】  よって、本考案のベビー抱っこひも又はよだれパッドに取り付けるベビー顔あて布により、抱っこされるベビーの顔に衣類があたらず、抱っこする人の衣類によだれ等が付くことがなくなる。
【考案を実施するための最良の形態】
【０００６】本考案に係わるベビー抱っこひも又はよだれパッドに取り付けるベビー顔あて布は、図１に示すようにベビー抱っこひも用よだれパッドにベビー顔あて布を取り付けている。または図６図７に示すようにベビー顔あて布をベビー抱っこひもに取り付けている図５図８図９図１１に示すようにベビー抱っこひもに取り付け可能にしたベビー顔あて布である。
【図面の簡単な説明】
【０００７】
【図１】本考案に係るベビー抱っこひも用よだれパッドにベビー顔あて布を取り付けた図である。
【図２】本考案に係わるベビー抱っこひも用よだれパッドにベビー顔あて布を取り付けた図である。
【図３】本考案に係わるベビー抱っこひも用よだれパッドにベビー顔あて布を取り付けた図である。
【図４】本考案に係わベビー抱っこひも用よだれパッドにベビー顔あて布を取り付けた図である。
【図５】本考案に係わるベビー抱っこひもに取り付けるようした、ベビー顔あて布の図である。
【図６】本考案に係わるベビー抱っこひもに取り付けたベビー顔あて布の図である。
【図７】本考案に係わるベビー抱っこひもに取り付けたベビー顔あて布の図である。
【図８】本考案に係わるベビー抱っこひもに取り付けるようした、ベビー顔あて布の図である
【図９】本考案に係わるベビー抱っこひもに取り付けるようした、ベビー顔あて布の図である
【図１０】本考案に係わるベビー抱っこひもに取り付けたベビー顔あて布の図である。
【図１１】本考案に係わるベビー抱っこひもに取り付けるようした、ベビー顔あて布の図である
【符号の説明】
【０００８】１    ベビー抱っこひも用よだれパッドに取り付けたベビー顔あて布
２    よだれパッド
３    ベビー抱っこひもに取り付けるようにしたベビー顔あて布
４    ベビー抱っこひもに取り付ける紐
５    ベビー抱っこひもに取り付ける紐に取り付けたスナップボタン
６    ベビー抱っこひもにに取り付けたスナップボタン
７    ベビー抱っこひもに取り付ける紐に取り付けたスナップボタン
８    ベビー抱っこひもに取り付ける紐に取り付けたマジックテープ
【図１】
0003196148.tif 000003
【図２】
0003196148.tif 000004
【図３】
0003196148.tif 000005
【図４】
0003196148.tif 000006
【図５】
0003196148.tif 000007
【図６】
0003196148.tif 000008
【図７】
0003196148.tif 000009
【図８】
0003196148.tif 000010
【図９】
0003196148.tif 000011
【図１０】
0003196148.tif 000012
【図１１】
0003196148.tif 000013
【手続補正書】
【提出日】平成26年7月28日(2014.7.28)
【手続補正１】
【補正対象書類名】実用新案登録請求の範囲
【補正対象項目名】全文
【補正方法】変更
【補正の内容】
【実用新案登録請求の範囲】
【請求項１】
抱っこした時、ベビーの顔が抱っこした人の衣類にあたらないように、ベビー抱っこひもに装着したよだれパッドに取り付けるようにした、ベビー顔あて布。
【請求項２】
抱っこした時、ベビーの顔が抱っこした人の衣類にあたらないように、ベビー抱っこひもに取り付けるようにした、ベビー顔あて布。
【手続補正２】
【補正対象書類名】明細書
【補正対象項目名】０００８
【補正方法】変更
【補正の内容】
【０００８】１    ベビー抱っこひも用よだれパッドに取り付けたべビー顔あて布
２    よだれパッド
３    ベビー抱っこひもに取り付けるようにしたベビー顔あて布
４    ベビー抱っこひもに取り付ける紐
５    ベビー抱っこひもに取り付ける紐に取り付けたスナップボタン
６    ベビー抱っこひもに取り付けたスナップボタン
７    ベビー抱っこひもに取り付ける紐に取り付けたスナップボタン
８    ベビー抱っこひもに取り付ける紐に取り付けた面ファスナー
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
よだれパッドに取り付けたベビー顔あて布
【請求項２】
ベビー抱っこひもに取り付けるベビー顔あて布。
【手続補正書】
【提出日】平成26年12月1日(2014.12.1)
【手続補正１】
【補正対象書類名】実用新案登録請求の範囲
【補正対象項目名】請求項２
【補正方法】変更
【補正の内容】
【請求項２】
ベビー抱っこひもに取り付ける紐を有するベビー顔あて布。
(57)【要約】      （修正有）【課題】汎用的な壁面パネルの装飾性を高め、かつパネル周辺の小物収納を可能にする小物収納付きスイッチパネルカバーを提供する。【解決手段】フィルムシートを加工し、汎用的な壁面スイッチパネルと同等の空間ａを持ち、また、下端部には鍵などの小物を掛止できるフックｂ、ｃが配置される当該構造体を壁面スイッチパネルを利用して掛止することにより、糊やテープ、ねじ等の固定具を必要とせずに簡易に壁面スイッチパネル周辺を装飾・整理できるものである。【選択図】図１
0003196178.tif 000002
【実用新案登録請求の範囲】
【請求項１】
本考案はトムソン加工により物品中央部に壁面スイッチパネルとほぼ同等の空間が設けられ、かつ物品下端部には鍵などの小物を掛止することができる構造が設けられたフィルムシート材料を壁面スイッチパネルに吊り下げることで、簡易にスイッチパネル周辺の装飾と、鍵などの小物の整理を可能にすることを特徴とする小物収納付きスイッチパネルカバー。
【請求項２】
前記の材料に対する印刷は、オフセット印刷を用いて絵や文字、写真などを印刷した請求項１に記載の小物収納付きスイッチパネルカバー。
【考案の詳細な説明】
【技術分野】
【０００１】  本考案は主として、フイルムシート材料に対して文字や図画を印刷した、多目的に使用できる利便性の高いノベルティー商品あるいは小売商品に関するものである。
【背景技術】
【０００２】  従来の小物収納付きスイッチパネルカバーはパネルの上蓋を２本のねじで固定する必要があり、当該機能の付いたパネルカバーに交換するにはドライバーなどの工具を必要とした。
【考案が解決しようとする課題】
【０００３】  汎用的な壁面スイッチパネルの構造を利用し、スイッチパネルに近接して設置することでスイッチパネル周辺の装飾と鍵などの小物の収納を可能にするものである。
【０００４】  汎用的な壁面スイッチパネルの周辺を糊やテープなどの接着剤を使用せずに簡易に装飾可能にするものである。また絵柄は印刷により任意の写真や図画を選択できるものとする。
【０００５】  少なからずプラスチック製品は廃棄処理の段階で環境に負荷をかけてしまうという課題を持っているが、本考案である小物収納付きスイッチパネルカバーの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  本考案はトムソン加工により設けた壁面スイッチパネルとほぼ同等の空間を利用して壁面スイッチパネルを掛下することで、従来のスイッチパネルの様に工具を必要とせずに壁面に設置でき、かつ物品下端部に設けた小物を掛止することができる構造により簡易にスイッチパネル周辺の装飾と、鍵などの小物の整理を可能にするものである。
【考案実施の形態】
【０００７】  図１は本考案の小物収納付きスイッチパネルカバー（１）の視図である。図１で小物収納付きスイッチパネルカバー（１）には本物品固定用の空間（ａ）が施され、汎用的な壁面スイッチパネルに本物品を掛止して固定できるようになっている。また物品下端部にはトムソン加工が施され、それぞれを起こすことで鍵などを掛止できるフック（ｂ）、（ｃ）が配置されている。
【０００８】  図２は本考案の小物収納付きスイッチパネルカバー（１）を壁面設置した場合の斜図である。本考案の小物収納付きスイッチパネルカバー（１）はあらかじめトムソン加工により物品中央部に汎用的な壁面スイッチパネルと同等の空間を設けられており、この空間を利用して汎用的な壁面スイッチパネル（Ｓ）に掛止された状態である。また物品下端部に設けたフック（ｂ）、（ｃ）に鍵（Ｋ）が掛止されている。
【０００９】  この小物収納付きスイッチパネルカバー（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【００１０】
【図１】本考案の小物収納付きスイッチパネルカバーの視図
【図２】図１の小物収納付きスイッチパネルカバーを壁面設置した場合の斜図
【符号の説明】
【００１１】１  小物収納付きスイッチパネルカバー
ａ  物品固定用スペース
ｂ  小物掛止用フック
ｃ  小物掛止用フック
Ｓ  壁面スイッチパネル
Ｋ  鍵
【図１】
0003196178.tif 000003
【図２】
0003196178.tif 000004
(57)【要約】      （修正有）【課題】自由に自分の好みの物が取れるように食卓の中央に置く、回転式調味料置き台を堤供する。【解決手段】調味料置き台１の底の部分に６ミリの丸い穴をあけ丸い鉄棒２を設け、大きいソロバン玉３を通して台座４に鉄棒を差し込んで固定し、回転させることを特徴とする。【選択図】図２
0003196174.tif 000002
【実用新案登録請求の範囲】
【請求項１】
調味料置き台（１）の底の部分に６ミリの丸い穴をあけ丸い鉄棒（２）を設け、大きいソロバン玉（３）を通して台座（４）に鉄棒を差し込んで固定し調味料置き台が左右に回転するようにそなえた、
回転式調味料置き。
【考案の詳細な説明】
【技術分野】
【００１】この考案は食卓の真ん中に置き、どこに座っていても好みの調味料がとりだせる回転式卓上調味料置きである。
【背景技術】
【００２】従来は調味料置きが食卓の端に固定していたため取りずらく、不便であった。
（特許文献１参照）
【先行技術文献】
【００３】
【特許文献】
【特許文献】特開００００−００００００号会報
【考案の概要】
【考案が解決しようとする課題】
【００４】従来は食たくの端に調味料置きが固定してあるので自分で歩いて取りにいくか、近くの人に頼んだりしなくても済むようにしたい。
【課題を解決するための手段】
【００５】調味料置き台（１）の底の部分に丸い５ミリ鉄棒（２）を設けソロバン玉（３）を通して台座（４）に鉄棒を差し込んで左右に調味料置き台が回転するようにそなえる。
【考案の効果】
【００６】調味料置き台を食卓の中央に置くことでどこに座っていても好みの調味料が取り出せ、回転式で便利である。
【図面の簡単な説明】
【００７】
【図１】本考案の平面図である。
【図２】本考案の側面図である。
【図３】本考案の斜視図である。
【考案を実施するための形態】
【００８】本考案を実施するための形態について説明する。
調味料置き台（１）の底の部分に丸い５ミリ鉄棒（２）を設けソロバン玉（３）通して台座（４）にも鉄棒を差し込んで、調味料置き台が左右に回転するので、自由に取り出せ、人に頼まなくても済むし便利である。
【符号の説明】（１）  調味料置き台
（２）  鉄棒
（３）  ソロバン玉
（４）  台座
【図１】
0003196174.tif 000003
【図２】
0003196174.tif 000004
【図３】
0003196174.tif 000005
(57)【要約】      （修正有）【課題】老人子供のみならず、目や指先が不自由な人でも、左右に引き分けねば成らない２本の紐を、誰でも、少々鈍感な自動機でも、容易に識別できる、巾着袋を提供する。【解決手段】巾着袋の紐を瘤結びでは無い、継目と他部分とが差異無い接続状態にするとともに、紐通しを２段とし、紐を上段と下段の夫々に１本づつ装填する。また、左方向へ牽引する紐と右方向へ牽引する紐とは紅白などに色分けして識別し易くする。【選択図】図３
0003196180.tif 000002
【実用新案登録請求の範囲】
【請求項１】
巾着袋において、口を閉じ、且つ袋を吊り下げる為の紐を通す紐通しが二段と成っていてかつ  それに通す紐が紅白など二色に色分けして区別し  使い易い巾着袋。
【考案の詳細な説明】
【技術分野】
【０００１】  本考案は、老人子供のみならず、目や指先が不自由な人でも、左右に引き分けねば成らない２本の紐を、誰でも、少々鈍感な自動機でも、容易に識別できる、巾着袋である。
【背景技術】
【０００２】  従来巾着袋は  左右に引き分けねば成らない２本の紐を識別し易い為に、２本の紐の夫々左右の紐通し開口部に相当する部分へ  結び瘤を施していた。此は手芸として素晴らしい知恵ではあるが、瘤結びは  手袋着用など手元不自由など  袋を閉じる際の結束の妨げとなる場合もあり、他方工業生産では甚だ不都合であり、需要先での自動化では障害となる。【０００３】  工業生産では紐の輪を造るのに、瘤結びでは無い方法もあり、自動充填では紐牽引の為、紐の採取に、結び瘤はマジックハンドの構造を徒に難しくしてしまう。
【考案の開示】
【考案が解決しようとする課題】
【０００４】  ２本の紐を  紐通しへ装填する以前でも  紐を瘤結びするのは  健常者には容易でも、自動機には大変難しく、ましてや  装填以後では不可能に近い。【０００５】  従来の巾着袋は、紐通しが１段しかなく、それに２本の紐を通し、２つの継目が左右反対側に位置する様に装填するのは  工業生産には大変困難である。【０００６】  もしも、紐通しの左右の開口部に紐の継目が位置せず、まして、隠れて居たら、健常者でも難しく、自動機に左右夫々正しく採取させるのは不可能に近い。
【課題を解決するための手段】
【０００７】  ２本の紐を瘤結びではなく、プラスチック紐では融着で繋げば自動化も高速度で可能、且つ袋生産ラインへビルトインも可能となる。【０００８】  紐通しを２段にすれば、自動装填機でも、２本の紐を、左右夫々正しく装填可能で、自動充填機でも同じ紐を左右に牽引する誤作動は無く、身障者でも識別可能である。
【考案の効果】
【０００９】  本考案の巾着袋は、老人子供や身障者にも正しく閉じる事が可能で、ましてや、自動化した、袋生産システムや中身充填システムを容易に機械化するものである。
【考案を実施するための最良の形態】
【００１０】  図１のように  巾着袋の紐通し部分を２段とし、夫々に牽引用紐を装填する。
【実施例１】
【００１１】  図２のように  巾着袋紐通しの左右端へ開口部を設け  紐通しの上下２段の夫々に夫々各１本の紐を施す。
【実施例２】
【００１２】  図３のように  紐通しの  上段の左端へ開口部を設け  下段の右端へ開口部を設け、紐通しの上下２段の夫々に夫々各１本の紐を施す。
【産業上の利用可能性】
【００１３】  一般消費者であれ産業であれ  中身充填後、密封の必要は無いが、中身がこぼれない、安直確実な閉口結束方法として  ごみ袋などに巾着袋は重宝であるが、  それを更に、  老人・身障者の生活必需品として  農林水産など手袋したままの作業の場合などに合う、２段紐通し巾着袋を供給することは  大きな需要が想定される。
【図面の簡単な説明】
【００１４】
【図１】従来からの巾着袋の紐通しを２段にしたものである。
【図２】左右端の開口部が上段下段連通となり図１の場合より大口径が得られる。
【図３】上段下段の開口部が夫々  左右端の何れかに有り  同じ紐を引く誤りが無い。
【符号の説明】
【００１５】    １巾着袋本体
２紐通し
３紐
４開口部
【図１】
0003196180.tif 000003
【図２】
0003196180.tif 000004
【図３】
0003196180.tif 000005